(57)【要約】【課題】ＭＢＭＳサービスを提供しているエリアにリレー局装置を設置する場合に、効率的な干渉回避を行う無線通信システム、基地局装置、リレー局装置および通信方法を提供すること。【解決手段】基地局装置とリレー局装置とを含む通信システムであって、前記基地局装置は、前記リレー局装置に、ＭＢＳＦＮエリアの識別子と前記ＭＢＳＦＮエリアの識別子のサービスが使用するサブフレームをＭＢＳＦＮサブフレームに設定するか否かを通知し、前記リレー局装置は、自局が保持するＭＢＳＦＮエリアの識別子と前記ＭＢＳＦＮエリアの識別子のサービスが使用するサブフレームの情報に基づき、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御する。【選択図】図２
2012080329.tif 000002
【特許請求の範囲】
【請求項１】
自局の周辺セルのＭＢＳＦＮエリアの識別子と使用サブフレームを取得し保持するＭＢＳＦＮ情報収集部を具備するリレー局装置であって、前記リレー局装置は、前記周辺セルが１つである場合に、前記周辺セルのＭＢＳＦＮサブフレームのうち、ＭＢＳＦＮエリアの識別子が割り当てられているサブフレームを自局のＭＢＳＦＮサブフレームに含めることを特徴とするリレー局装置。
【請求項２】
自局の周辺セルのＭＢＳＦＮエリアの識別子と使用サブフレームを取得し保持するＭＢＳＦＮ情報収集部を具備するリレー局装置であって、前記リレー局装置は、前記周辺セルが複数である場合に、前記周辺セルのＭＢＳＦＮサブフレームのうち、同一のサブフレームで同一のＭＢＳＦＮエリアの識別子が割り当てられているサブフレームを自局のＭＢＳＦＮサブフレームに含めることを特徴とするリレー局装置。
【請求項３】
リレー局装置と通信する基地局装置であって、前記基地局装置は、前記リレー局装置に、ＭＢＳＦＮエリアの識別子と前記ＭＢＳＦＮエリアの識別子のサービスが使用するサブフレームを前記リレー局装置のＭＢＳＦＮサブフレームに含めるか否かを通知することを特徴とする基地局装置。
【請求項４】
前記基地局装置と通信するリレー局装置であって、前記リレー局装置は、前記基地局装置のＭＢＳＦＮエリアの識別子と前記ＭＢＳＦＮエリアの識別子のサービスが使用するサブフレームの情報を保持し、さらに前記リレー局装置は、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御することを特徴とする請求項３記載のリレー局装置。
【請求項５】
基地局装置とリレー局装置とを含む通信システムであって、前記リレー局装置は、自局の周辺セルからの受信電力と、自局が接続する前記周辺セルのＭＢＳＦＮエリアの識別子と前記ＭＢＳＦＮエリアの識別子のサービスが使用するサブフレームの情報を保持し、さらに前記リレー局装置は、前記周辺セルの受信電力を自局が接続する周辺セルを管轄する前記基地局装置に通知し、前記基地局装置は、前記リレー局装置に、ＭＢＳＦＮエリアの識別子と前記ＭＢＳＦＮエリアの識別子のサービスが使用するサブフレームをＭＢＳＦＮサブフレームに設定するか否かを通知し、前記リレー局装置は、自局が保持するＭＢＳＦＮエリアの識別子と前記ＭＢＳＦＮエリアの識別子のサービスが使用するサブフレームの情報に基づき、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御することを特徴とする通信システム。
【請求項６】
基地局装置とリレー局装置とを具備し、前記リレー局装置が、自局の周辺セルからの受信電力と、自局が接続する前記周辺セルのＭＢＳＦＮエリアの識別子と前記ＭＢＳＦＮエリアの識別子のサービスが使用するサブフレームの情報を保持するステップと、前記リレー局装置が、前記周辺セルの受信電力を自局が接続する周辺セルを管轄する前記基地局装置に通知するステップと、前記基地局装置が、前記リレー局装置に、ＭＢＳＦＮエリアの識別子と前記ＭＢＳＦＮエリアの識別子のサービスが使用するサブフレームをＭＢＳＦＮサブフレームに設定するか否かを通知するステップと、前記リレー局装置が、自局が保持するＭＢＳＦＮエリアの識別子と前記ＭＢＳＦＮエリアの識別子のサービスが使用するサブフレームの情報に基づき、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御するステップと、を備えることを特徴とする通信方法。
【発明の詳細な説明】
【技術分野】
【０００１】
本発明は、無線通信システム、基地局装置、リレー局装置および通信方法に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
図６は、ＬＴＥにおける無線フレームの構成の一例を示す図である。図６において、横軸方向は、時間軸を示し、縦軸方向は、周波数軸を示している。無線フレームは、例えば、周波数軸方向に１２サブキャリア（ｓｃ）と、時間軸方向に複数のＯＦＤＭシンボルの集合であるスロットを一単位として構成される。１２サブキャリアと１スロット長で区切られた割り当ての単位となる領域をリソースブロックと呼ぶ。サブフレームは、２つのスロットから構成され、更に、無線フレームは、１０個のサブフレームから構成される。周波数方向には複数のリソースブロックが連続して配置される。
【０００４】
図６において、＃０、＃５サブフレームには、移動局装置やリレー局装置が、基地局装置配下のセルとの同期をとるために用いるプライマリ同期チャネル（Primary Synchronization Channel；Ｐ−ＳＣＨ）、セカンダリ同期チャネル（Secondary Synchronization Channel;Ｓ−ＳＣＨ）、及び、プライマリ報知チャネル（Primary Broadcast Channel;Ｐ−ＢＣＨ）が含まれる。
【０００５】
移動局装置は、前記同期チャネルを利用して当該セルへ同期し、物理セルＩＤを取得する。次にＰ−ＢＣＨを復調して、送信アンテナポート数などの主要なパラメータを取得し、その他の報知情報を下りリンク共有チャネル（Downlink Shared Channel;ＤＬ−ＳＣＨ）に配置される動的報知チャネル（Dynamic Broadcast Channel;Ｄ−ＢＣＨ）から取得する。Ｄ−ＢＣＨに含まれる情報は、情報の種類により複数のブロックに分けられ、それぞれＳＩＢ（System Information Block;システム情報ブロック）と呼ばれる単位で、ブロックごとに個別の周期で報知される。
また、１サブフレームの先導のＯＦＤＭシンボルには、下りリンク制御チャネル（Physical Downlink Control Channel;ＰＤＣＣＨ）が配置され、制御フォーマット指示チャネル（Physical Control Format Indicator Channel;ＰＣＦＩＣＨ）により、１から４の間で幾つのＯＦＤＭシンボルにＰＤＣＣＨを配置するかを指定する。
【０００６】
また、サブフレーム内には、復調、及び、受信品質測定に必要な参照信号（Downlink Reference Signal;ＤＬ−ＲＳ）が含まれる。参照信号のサブキャリア配置は、前述の物理セルＩＤによって一意に定められる。移動局装置は、参照信号を用いて受信品質の測定や、ＰＤＣＣＨに対して伝播路補償を行い、ＰＤＣＣＨにより自局宛のデータ割り当てを検出すると、当該ＰＤＣＣＨ以降のＯＤＦＭシンボルを復調して、自局宛のデータを取得する。
【０００７】
ＬＴＥでは、マルチメディアの同報通信サービス（Multimedia Broadcast/Multicast Service;ＭＢＭＳ）の実施が検討されている。ＭＢＭＳは、複数セルに亘る広範囲なエリアにおいて同一情報の同報サービスを行うことが想定される。ＭＢＭＳの送信過程でセル間を移動する移動局装置が周波数切り替えを行うことによるサービスの中断が生じることを減らすために、エリア内で単一周波数ネットワーク（Single Frequency Network;ＳＦＮ）の搬送波を用いる複数のセルで、同一のＭＢＭＳを送信するＭＢＳＦＮ（Multimedia Broadcast Single Frequency Network；マルチメディア同報通信単一周波数ネットワーク）の仕組みがある。
【０００８】
ＬＴＥでは、ＭＢＳＦＮ送信を行うサブフレームでは、参照信号の配置が他のサブフレームと異なるため、移動局装置での処理に不具合が生じる。そのため、ＭＢＳＦＮ送信を行うサブフレームがＳＩＢ２と呼ばれる情報ブロックで報知される仕組みとなっている。
またＬＴＥでは、ＭＢＳＦＮの送信用に物理マルチキャストチャネル（Physical Multicast Channel；ＰＭＣＨ）が用意され、ＰＭＣＨの配置されるサブフレームの情報ブロックがＳＩＢのひとつであるのＳＩＢ１３で報知される（非特許文献１）。ＬＴＥでは１つのセルで複数のＭＢＳＦＮエリアを構成することができるため、ＳＩＢ１３では、ＭＢＳＦＮエリアを識別するための識別子と、前記識別子のサービスが使用するサブフレームの情報が通知される。
ここで、ＳＩＢ１３で指定されるサブフレームは、ＳＩＢ２で報知されるすべてのサブフレームであるとは限らない。ＳＩＢ１３で指定されなかったサブフレームは、ＭＢＭＳの送信以外に用いることができる。例えば、送信を行わないことによって電力消費を抑えたり、後述するリレー局装置で用いることによってリレー局装置と基地局装置との通信などに利用されたりする。
【０００９】
ＭＢＳＦＮサブフレームの場合、先頭から２ＯＦＤＭシンボルまでの参照信号は通常のサブフレームと同じ構造である。また、ＰＤＣＣＨも配置される。残りのＯＦＤＭシンボルは、ＭＢＭＳのために使用される。
このように、ＬＴＥにおける、ＭＢＳＦＮのサブフレームでは、先頭から２ＯＦＤＭシンボルに含まれる参照信号のみを用いてＰＤＣＣＨの伝播路補償や、受信品質測定を行うことが検討されている。
【００１０】
更に、ＬＴＥでは、移動局装置の通信可能範囲（カバレッジ）の拡大や、通信容量（キャパシティ）の増大を目的として、リレー局装置を用いることが検討されている。リレー局装置は、通常セルの基地局装置（ＤｅＮＢ）との無線リンク（バックホールリンク）によりコアネットワークとの通信を行い、更に、移動局装置との無線リンク（アクセスリンク）により移動局装置との通信を行う。すなわちリレー局装置は、前記２つの無線リンクを用いて、移動局装置と基地局装置との間の通信を中継する。ＬＴＥでは、バックホールリンクの通信にＭＢＳＦＮサブフレームを利用できることが規定されている。
図７は、リレー局装置を含む通信システムの概略図である。図７では移動局装置Ｕａは基地局装置Ｎａと通信している。また、基地局装置ＮａはＭＢＭＳのサービスを行っており、図８で示すようにＭＢＳＦＮサブフレーム（ここではサブフレーム＃２、＃６）を利用して移動局装置Ｕａに対してサービスを提供している。さらに、基地局装置Ｎａはリレー局装置ＲａのＤｅＮＢである。リレー局装置Ｒａは、前記基地局装置ＮａがＭＢＭＳサービスを行っている以外の一部のサブフレームにＭＢＳＦＮサブフレームを設定して（ここではサブフレーム＃１、＃３）、バックホールリンクの通信に利用している。リレー局装置Ｒａには移動局装置Ｕｂが接続して通信を行っている。
ここで、移動局装置Ｕａがリレー局装置Ｒａのセルに近い場合、移動局装置Ｕａが基地局装置ＮａからのＭＢＭＳサービスを受信する際に、リレー局装置Ｒａから移動局装置Ｕｂに対して送信される信号が干渉信号となり、移動局装置ＵａにおけるＭＢＭＳの受信品質が低下してしまう。もしリレー局装置Ｒａが通常の基地局装置であれば、ＭＢＳＦＮエリア内の基地局装置を制御するＭＣＥ（Multi-cell/multicast Coordination Entity）によって、ＭＢＭＳのサービスを提供しているＭＢＳＦＮサブフレームの利用を制限することが可能であるが、現状のＬＴＥではリレー局装置はＭＣＥと接続することができないため、リレー局装置Ｒａが、ＤｅＮＢ（基地局装置Ｎａ）のＳＩＢ２およびＳＩＢ１３の情報をもとに、自局も同様のＭＢＳＦＮサブフレームを追加で設定し、前記ＭＢＳＦＮサブフレームでＰＭＣＨの送信を行わないことによって干渉の発生を防ぐことが提案されている（非特許文献２）。
【先行技術文献】
【非特許文献】
【００１１】
【非特許文献１】３ＧＰＰ  ＴＳ３６．３３１，Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ．Ｖ９．３．０ (http://www.3gpp.org/ftp/Specs/html-info/36331.htm）
【非特許文献２】ＣＭＣＣ，ＣＡＴＲ，ＺＴＥ，“Ｃｏｎｓｉｄｅｒａｔｉｏｎｓ  ｏｎ  ｄｅｐｌｏｙｍｅｎｔ  ｏｆ  ｂｏｔｈ  ｒｅｌａｙ  ａｎｄ  ＭＢＭＳ” ，Ｒ２−１０４５５３，３ＧＰＰ  ＴＳＧ−ＲＡＮ  ＷＧ２  Ｍｅｅｔｉｎｇ  ＃７１，Ｍａｄｒｉｄ，Ｓｐａｉｎ，２３−２７ｔｈ  Ａｕｇｕｓｔ  ２０１０
【発明の概要】
【発明が解決しようとする課題】
【００１２】
前述のように、ＤｅＮＢのＭＢＭＳへの干渉の発生を防ぐために単純に当該サブフレームでのリレー局装置の無線送信を停止してしまうと、無線利用効率の低下を招いてしまう。また、単純に当該サブフレームで無線送信を行ってしまうと、干渉の発生を招いてしまう。
【００１３】
本発明は上記問題点に鑑み、前記無線送信停止の必要性を判断する仕組みを導入することにより、無線利用効率の低下を軽減することができる無線通信システム、リレー局装置および通信方法を提供することを目的としている。
【課題を解決するための手段】
【００１４】
（１）上記の目的を達成するために、本発明は、以下のような手段を講じた。すなわち、本発明の通信システムにおけるリレー局装置は、自局の周辺セルのＭＢＳＦＮエリアの識別子と使用サブフレームを取得し保持するＭＢＳＦＮ情報収集部を具備するリレー局装置であって、前記リレー局装置は、前記周辺セルが１つである場合に、前記周辺セルのＭＢＳＦＮサブフレームのうち、ＭＢＳＦＮエリアの識別子が割り当てられているサブフレームを自局のＭＢＳＦＮサブフレームに含めることを特徴とする。
【００１５】
（２）また、本発明の通信システムにおけるリレー局装置は、自局の周辺セルのＭＢＳＦＮエリアの識別子と使用サブフレームを取得し保持するＭＢＳＦＮ情報収集部を具備するリレー局装置であって、前記リレー局装置は、前記周辺セルが複数である場合に、前記周辺セルのＭＢＳＦＮサブフレームのうち、同一のサブフレームで同一のＭＢＳＦＮエリアの識別子が割り当てられているサブフレームを自局のＭＢＳＦＮサブフレームに含めることを特徴とする。
【００１６】
（３）また、本発明の通信システムにおける基地局装置は、リレー局装置と通信する基地局装置であって、前記基地局装置は、前記リレー局装置に、ＭＢＳＦＮエリアの識別子と前記ＭＢＳＦＮエリアの識別子のサービスが使用するサブフレームを前記リレー局装置のＭＢＳＦＮサブフレームに含めるか否かを通知することを特徴とする。
【００１７】
（４）また、本発明の通信システムにおけるリレー局装置は、前記基地局装置と通信するリレー局装置であって、前記リレー局装置は、前記基地局装置のＭＢＳＦＮエリアの識別子と前記ＭＢＳＦＮエリアの識別子のサービスが使用するサブフレームの情報を保持し、さらに前記リレー局装置は、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御することを特徴とする。
【００１８】
（５）また、本発明の通信システムは、基地局装置とリレー局装置とを含む通信システムであって、前記リレー局装置は、自局の周辺セルからの受信電力と、自局が接続する前記周辺セルのＭＢＳＦＮエリアの識別子と前記ＭＢＳＦＮエリアの識別子のサービスが使用するサブフレームの情報を保持し、さらに前記リレー局装置は、前記周辺セルの受信電力を自局が接続する周辺セルを管轄する前記基地局装置に通知し、前記基地局装置は、前記リレー局装置に、ＭＢＳＦＮエリアの識別子と前記ＭＢＳＦＮエリアの識別子のサービスが使用するサブフレームをＭＢＳＦＮサブフレームに設定するか否かを通知し、前記リレー局装置は、自局が保持するＭＢＳＦＮエリアの識別子と前記ＭＢＳＦＮエリアの識別子のサービスが使用するサブフレームの情報に基づき、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御することを特徴とする。
【００１９】
（６）また、本発明の通信方法は、基地局装置とリレー局装置とを具備し、前記リレー局装置が、自局の周辺セルからの受信電力と、自局が接続する前記周辺セルのＭＢＳＦＮエリアの識別子と前記ＭＢＳＦＮエリアの識別子のサービスが使用するサブフレームの情報を保持するステップと、前記リレー局装置が、前記周辺セルの受信電力を自局が接続する周辺セルを管轄する前記基地局装置に通知するステップと、前記基地局装置が、前記リレー局装置に、ＭＢＳＦＮエリアの識別子と前記ＭＢＳＦＮエリアの識別子のサービスが使用するサブフレームをＭＢＳＦＮサブフレームに設定するか否かを通知するステップと、前記リレー局装置が、自局が保持するＭＢＳＦＮエリアの識別子と前記ＭＢＳＦＮエリアの識別子のサービスが使用するサブフレームの情報に基づき、前記基地局装置から通知されたＭＢＳＦＮエリアの識別子のサービスが使用するサブフレームを自局のＭＢＳＦＮサブフレームに含めるか否かを、前記ＭＢＳＦＮエリアの識別子のサービスが使用するサブフレームをＭＢＳＦＮサブフレームに設定するか否かの通知に基づき制御するステップと、を備えることを特徴とする。
【発明の効果】
【００２０】
本発明によれば、無線利用効率の低下を軽減しつつ、ＭＢＭＳへの干渉を低減する無線通信システム、リレー局装置および通信方法を提供することが可能となる。
【図面の簡単な説明】
【００２１】
【図１】本発明の実施形態に係る基地局装置の一例を示すブロック図である。
【図２】本発明の実施形態に係るリレー局装置の一例を示すブロック図である。
【図３】本発明の実施形態に係る移動局装置の一例を示すブロック図である。
【図４】本発明の第１の実施形態におけるＭＢＳＦＮサブフレーム設定手順を示したシーケンスチャートである。
【図５】本発明の第２の実施形態におけるＭＢＳＦＮサブフレーム設定手順を示したシーケンスチャートである。
【図６】本発明に係る通信システムのフレーム構成の一例を示す図である。
【図７】本発明に係る通信システム構成の一例を示す図である。
【図８】従来のＭＢＭＳサービスに対するリレー局装置による干渉を示す図である。
【発明を実施するための形態】
【００２２】
本発明の実施形態を説明する前に、本発明に関する物理チャネルについて説明する。
【００２３】
[物理チャネル]
ＬＴＥで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＬＴＥにおいて、今後追加、または、その構造が変更される可能性もあるが、変更された場合でも本発明の各実施形態の説明には影響しない。
【００２４】
同期シグナル（Synchronization Signals）は、３種類のプライマリ同期シグナルと、周波数バンドで互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ、PCI; Physical Cell Identifier）と、無線同期のためのフレームタイミングが示される。移動局装置やリレー局装置は、セルサーチによって受信した同期シグナルから送信タイミング（フレームタイミング）やセルの物理セルＩＤなどを特定する。
【００２５】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンクデータチャネルを用いてレイヤ３メッセージ（システムインフォメーション）で送信される。報知情報として、セル個別の識別子を示すセルグローバル識別子（CGI; Cell Global Identifier）、アクセスできる端末のクラス、ページングによる待ち受けエリアを管理するトラッキングエリア識別子（TAI; Tracking Area Identifier）、セルの周波数帯域幅や下りリンクと上りリンクの周波数帯域の対応関係、MBSFNサブフレームやMBMSサービスで用いられるMBSFNサブフレーム割り当ての情報などが通知される。アイドル状態の移動局装置やリレー局装置は、セルサーチによって検出されたセルから上記の報知情報を取得して自局が通信するための最適なセルを選択する。
【００２６】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号であり、信号の位置や系列は物理セルＩＤによって一意に定められる。移動局装置は、下りリンクリファレンスシグナルを受信することでセル毎の受信品質（受信電力や信号対干渉雑音比など）を測定する。また、移動局装置は、下りリンクリファレンスシグナルと同時に送信される下りリンク制御チャネル、または下りリンクデータチャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００２７】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割当て情報を取得する必要がある。
【００２８】
下りリンクデータチャネル（PDSCH; Physical Downlink Shared Channel）は、下りリンクデータの他、下りリンク制御データであるレイヤ３メッセージとしてページングや報知情報を通知するためにも使用される。下りリンクデータチャネルの無線リソース割当て情報は、下りリンク制御チャネルで示される。
【００２９】
また、リレー局装置宛専用の下りリンク制御チャネルと下りリンクデータチャネルもあり、それぞれ、Ｒ−ＰＤＣＣＨ、Ｒ−ＰＤＳＣＨと呼ばれる。
【００３０】
上りリンクデータチャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンクデータチャネルの無線リソース割当て情報は、下りリンク制御チャネルで示される。
【００３１】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の送信データのスケジューリング要求や、上りリンク送信タイミングを基地局装置の受信タイミングウィンドウに合わせるために必要な送信タイミング調整情報の要求にランダムアクセスチャネルを用いる。送信タイミング調整情報を受信した移動局装置は、送信タイミング調整情報の有効時間を設定し、有効時間中は送信タイミング調整状態、有効期間外は、送信タイミング非調整状態として状態を管理する。基地局装置は、移動局装置に対して個別プリアンブル系列（Dedicated preamble）を割り当てて、ランダムアクセスを開始させることも可能である。
【００３２】
マルチキャストチャネル（PMCH; Physical Multicast Channel）は、マルチキャスト信号の送信に使用されるチャネルであり、MBMSの制御情報であるマルチキャスト制御チャネル（MCCH; Multicast Control Channel）やMBMSのトラフィックデータであるマルチキャストトラフィックチャネル（MTCH; Multicast Traffic Channel）の送信に利用される。なお、それ以外の物理チャネルは、本発明の各実施形態に直接関わらないため詳細な説明は省略する。
【００３３】
［第１の実施形態］
本発明の第１の実施形態について以下に説明する。
【００３４】
図１は、本発明の実施形態による基地局装置１の一例を示すブロック図である。本基地局装置１は、受信部１０１、復調部１０２、復号部１０３、制御部１０４、符号部１０５、変調部１０６、送信部１０７、ネットワーク信号処理部１０８、上位レイヤ１０９から構成される。
【００３５】
上位レイヤ１０９は、下りリンクトラフィックデータと下りリンク制御データを符号部１０５へ入力する。符号部１０５は、入力された各データを符号化し、変調部１０６へ入力する。変調部１０６は、符号化した信号の変調を行なう。また、変調部１０６において、変調された信号に対して下りリンクリファレンスシグナルが多重され、周波数バンドにマッピングされる。送信部１０７は、変調部１０６から出力された周波数バンドの信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣ（Radio Resource Control）メッセージ）を構成する。
【００３６】
また、受信部１０１は、リレー局装置２や移動局装置３からの受信信号をベースバンドのデジタル信号に変換する。デジタル信号は、復調部１０２へ入力されて復調される。復調部１０２で復調された信号は続いて復号部１０３へ入力されて復号される。復号部１０３は、受信信号を上りリンクトラフィックデータと上りリンク制御データに適切に分離し、それぞれ上位レイヤ１０９へ入力する。
【００３７】
これら各ブロックの制御に必要な基地局装置制御情報は、上位レイヤ１０９より制御部１０４へ入力され、制御部１０４より送信に関連する基地局装置制御情報は送信制御情報として、符号部１０５、変調部１０６、送信部１０７の各ブロックに、受信に関連する基地局装置制御情報は受信制御情報として、受信部１０１、復調部１０２、復号部１０３の各ブロックに適切に入力される。
【００３８】
一方、ネットワーク信号処理部１０８は、複数の基地局装置１間（または制御局装置（ＭＭＥ）、ゲートウェイ装置（Ｇａｔｅｗａｙ）、ＭＣＥ）と基地局装置１との間の制御メッセージの送信または受信を行なう。制御メッセージはネットワーク回線を経由して送受信される。制御メッセージは、Ｓ１インターフェースやＸ２インターフェースやＭ１インターフェースやＭ２インターフェースと呼ばれる論理インターフェース上でやり取りされる。
【００３９】
また、基地局装置１のＲＲＣ部は、上位レイヤ１０９の一部として存在する。図１において、その他の基地局装置１の構成要素は本実施形態に関係ないため省略してある。
【００４０】
図２は、本発明の実施形態によるリレー局装置２の一例を示すブロック図である。本基地局装置２は、第１の受信部２０１、第１の復調部２０２、第１の復号部２０３、ＭＢＳＦＮ情報収集部２０４、受信品質測定部２１７、第１の制御部２０５、第１の符号部２０７、第１の変調部２０８、第１の送信部２０９、上位レイヤ２０６、第２の受信部２１０、第２の復調部２１１、第２の復号部２１２、第２の制御部２１３、第２の符号部２１４、第２の変調部２１５、第２の送信部２１６から構成される。
【００４１】
リレー局装置２は基地局装置１とバックホールリンクの通信を行い、移動局装置とアクセスリンクの通信を行う。
【００４２】
上位レイヤ２０６は、バックホールリンクの通信として、Ｕｎ上りリンクトラフィックデータとＵｎ上りリンク制御データを第１の符号部２０７へ入力する。第１の符号部２０７は、入力された各データを符号化し、第１の変調部２０８へ入力する。第１の変調部２０８は、符号化した信号の変調を行なう。また、第１の変調部２０８において、変調された信号に対して上りリンクリファレンスシグナルが多重され、周波数バンドにマッピングされる。第１の送信部２０９は、第１の変調部２０８から出力された周波数バンドの信号を時間領域の信号へ変換し、変換した信号を既定の周波数の搬送波にのせて電力増幅を行なうと共に送信する。
【００４３】
また、第１の受信部２０１は、基地局装置１からの受信信号をベースバンドのデジタル信号に変換する。デジタル信号は、第１の復調部２０２へ入力されて復調される。第１の復調部２０２で復調された信号は続いて第１の復号部２０３へ入力されて復号される。第１の復号部２０３は、受信信号をＵｎ下りリンクトラフィックデータとＵｎ下りリンク制御データに適切に分離し、それぞれ上位レイヤ２０６へ入力する。また、第１の復号部２０３で復号されたＭＢＳＦＮに関する情報（ＭＢＳＦＮエリアの識別子、前記ＭＢＳＦＮエリアで使用するＭＢＳＦＮサブフレーム位置、ＭＢＭＳサービスの識別子、受信電力など）はＭＢＳＦＮ情報収集部２０４に入力される。ＭＢＳＦＮ情報収集部では、単一あるいは複数の基地局装置１から収集して保持しているＭＢＳＦＮに関する情報を上位レイヤ２０６に通知する。また、受信品質測定部２１７は第１の復調部で検出された下りリファレンスシグナルや同期シグナルなどの受信電力から算出される受信品質を測定し、物理セルＩＤと対にして保持して（必要であれば当該セルの周波数情報も保持して）、上位レイヤ２０６に通知する。
【００４４】
これらバックホールリンクに関する各ブロックの制御に必要なバックホールリンク制御情報は、上位レイヤ２０６より第１の制御部２０５へ入力され、第１の制御部２０５より送信に関連する制御情報は送信制御情報として、第１の符号部２０７、第１の変調部２０８、第１の送信部２０９の各ブロックに、受信に関連する制御情報は受信制御情報として、第１の受信部２０１、第１の復調部２０２、第１の復号部２０３の各ブロックに適切に入力される。
【００４５】
また、上位レイヤ２０６は、アクセスリンクの通信として、Ｕｕ下りリンクトラフィックデータとＵｕ下りリンク制御データを第２の符号部２１４へ入力する。第２の符号部２１４は、入力された各データを符号化し、第２の変調部２１５へ入力する。第２の変調部２１５は、符号化した信号の変調を行なう。また、第２の変調部２１５において、変調された信号に対して下りリンクリファレンスシグナルが多重され、周波数バンドにマッピングされる。第２の送信部２１６は、第２の変調部２１５から出力された周波数バンドの信号を時間領域の信号へ変換し、変換した信号を既定の周波数の搬送波にのせて電力増幅を行なうと共に送信する。
【００４６】
また、第２の受信部２１０は、移動局装置３からの受信信号をベースバンドのデジタル信号に変換する。デジタル信号は、第２の復調部２１１へ入力されて復調される。第２の復調部２１１で復調された信号は続いて第２の復号部２１２へ入力されて復号される。第２の復号部２１２は、受信信号をＵｕ上りリンクトラフィックデータとＵｕ上りリンク制御データに適切に分離し、それぞれ上位レイヤ２０６へ入力する。
【００４７】
これらアクセスリンクに関する各ブロックの制御に必要なアクセスリンク制御情報は、上位レイヤ２０６より第２の制御部２１３へ入力され、第２の制御部２１３より送信に関連する制御情報は送信制御情報として、第２の符号部２１４、第２の変調部２１５、第２の送信部２１６の各ブロックに、受信に関連する制御情報は受信制御情報として、第２の受信部２１０、第２の復調部２１１、第２の復号部２１２の各ブロックに適切に入力される。図２において、その他の基地局装置２の構成要素は本実施形態に関係ないため省略してある。また、図２においてバックホールリンクの送受信に用いる各処理部と、アクセスリンクに用いる各処理部とはその一部あるいは全てを共通化してもよい。この場合、バックホールリンクの処理とアクセスリンクの処理は時分割で行われる。
【００４８】
図３は、本発明の実施形態に係る移動局装置３の一例を示すブロック図である。本移動局装置３は、受信部３０１、復調部３０２、復号部３０３、制御部３０５、ランダムアクセス処理部３０６、符号部３０７、変調部３０８、送信部３０９、上位レイヤ３０４から構成される。受信に先立ち、上位レイヤ３０４より制御部３０５へ移動局装置制御情報が入力され、受信に関する移動局装置制御情報が受信制御情報として、受信部３０１、復調部３０２、復号部３０３へ適切に入力される。受信制御情報は、受信スケジュール情報として、復調情報、復号化情報、受信周波数帯域の情報、各チャネルに関する受信タイミング、多重方法、無線リソース配置情報などの情報が含まれている。
【００４９】
受信信号は、一つ以上のアンテナ（図示せず）を介して受信部３０１において受信される。受信部３０１は、受信制御情報で通知された周波数帯域で信号を受信する。受信部３０１は受信信号のベースバンド処理部を含む。受信信号は復調部３０２へと入力される。復調部３０２は、受信信号を復調して復号部３０３へと受信信号を入力する。復号部３０３は、受信制御情報に基づき受信信号を正しく復号する。復号部３０３は、受信信号を下りリンクトラフィックデータと下りリンク制御データに適切に分離し、それぞれ上位レイヤ３０４へ入力する。
【００５０】
また、送信に先立ち、上位レイヤ３０４より制御部３０５へ移動局装置制御情報が入力され、送信に関する移動局装置制御情報が送信制御情報として、ランダムアクセス処理部３０６、符号部３０７、変調部３０８、送信部３０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス処理部３０６には、上位レイヤ３０４からランダムアクセスに必要な無線リソース情報や最大送信回数などのランダムアクセスチャネルの送信に必要なランダムアクセス情報が入力される。また、ランダムアクセス処理部３０６は、ランダムアクセスチャネルの送信回数をカウントすることで、ランダムアクセス問題を検出した場合、ランダムアクセス問題が発生したことを示すランダムアクセス問題情報を上位レイヤ３０４へ通知する。
【００５１】
符号部３０７には、上位レイヤ３０４から上りリンクトラフィックデータと上りリンク制御データとが、ランダムアクセス処理部３０６からランダムアクセスデータが、上りリンクチャネルに応じて適切に入力される。符号部３０７は送信制御情報に従い、各データを適切に符号化し、変調部３０８に出力する。変調部３０８は、符号部３０７からの入力を変調する。
【００５２】
送信部３０９は、変調部３０８の出力を周波数バンドにマッピングすると共に、周波数バンドの信号を時間領域の信号へ変換し、既定の周波数の搬送波にのせて電力増幅を行なうと共に送信する。上りリンク制御データが配置される上りリンクデータチャネルは、典型的にはレイヤ３メッセージ（無線リソース制御メッセージ；ＲＲＣメッセージ）を構成する。移動局装置３のＲＲＣ部は上位レイヤ３０４の一部として存在する。また、ランダムアクセス処理部３０６は、移動局装置３のデータリンク層を管理するＭＡＣ（Medium Access Control）の一部として存在する。図３において、その他の移動局装置３の構成要素は本実施形態に関係ないため省略してある。
【００５３】
まず、従来の技術を利用した場合のリレー局装置におけるＭＢＳＦＮサブフレームの設定の説明を行う。リレー局装置２のＭＢＳＦＮ情報収集部２０４は、ＤｅＮＢとなる基地局装置１からＭＢＳＦＮサブフレーム番号を取得する。上位レイヤ２０６は、バックホールリンク通信用のＭＢＳＦＮサブフレームに加えて、前記取得したＤｅＮＢのＭＢＳＦＮサブフレームを自局のＭＢＳＦＮサブフレームに設定して、Ｕｕ下りリンクトラフィックデータに含まれる報知情報を用いて移動局装置に対して報知する。さらにリレー局装置２は、前記ＤｅＮＢのＭＢＳＦＮサブフレームにおいてＰＭＣＨやＰＤＳＣＨの送信は行わないようにする。これによって、ＤｅＮＢがＭＢＳＦＮサブフレームに設定しているサブフレームにおいてリレー局装置からのＰＤＳＣＨやＰＭＣＨの送信による干渉を回避することが可能となる。
【００５４】
次に、本実施形態におけるＭＢＳＦＮサブフレーム設定の手順を図４のシーケンスチャートを用いて説明する。
【００５５】
まず、本実施形態のリレー局装置２は、セルサーチを行うことにより、自局の周辺にあるセルを検出し、検出されたセルの受信品質の測定を行う（ステップＳ４０１）。次に前記検出されたセル（ここではセルＡおよびセルＢ）の報知情報を取得し、ＭＢＳＦＮサブフレームの設定とＭＢＳＦＮエリアの識別子情報を取得する（ステップＳ４０２）。さらに、前記処理で取得した報知情報と受信品質から、接続するセルを選択し、接続処理を行う（ステップＳ４０３）。
【００５６】
次にリレー局装置２は、同一周波数帯域で単一のセルのみ検出していた場合は、ＭＢＳＦＮエリアの識別子が割り当てられたサブフレームをＭＢＳＦＮサブフレームに設定し、当該サブフレームにおいてＰＭＣＨやＰＤＳＣＨの送信を行わないようにする。また、セルサーチによって同一周波数帯域で複数のセルを検出していた場合、取得した複数のセルのＭＢＳＦＮサブフレームのうち、同一のＭＢＳＦＮエリアの識別子が割り当てられたサブフレームをＭＢＳＦＮサブフレームに設定し、当該サブフレームにおいてＰＭＣＨやＰＤＳＣＨの送信を行わないようにする。前記複数のセル間で、異なるＭＢＳＦＮエリアの識別子が割り当てられたサブフレームはＭＢＳＦＮサブフレームには設定しない（ステップＳ４０４）。
【００５７】
上記処理により、リレー局装置２がＭＢＳＦＮエリアのどの位置に設置されているかを自律的に判断することが可能となる。
【００５８】
本実施形態により、リレー局装置がＭＢＳＦＮエリアの中心部近くに位置する場合にのみＭＢＳＦＮサブフレームを設定して干渉を回避し、ＭＢＳＦＮエリアの周辺部近くに位置する場合にはＭＢＳＦＮサブフレームを設定せずに通信システムの通信容量を増やすことが可能となる。また、本実施形態の処理をリレー局装置２が定期的に行うことによりＭＢＳＦＮエリアが変更された場合においても適切にＭＢＳＦＮサブフレームを設定することが可能となる。また、ＭＢＳＦＮエリアが変更された場合に、リレー局装置２の接続先のセルＡから接続の切断を指示されることで、前記処理を行えるようにしてもよい。また、セルＡを管轄するＤｅＮＢからセルＡの報知情報をＲ−ＰＤＳＣＨを利用してリレー局装置２に通知し、リレー局装置２は、前記情報に含まれるＭＢＳＦＮエリアで使用されるサブフレームの情報が変更された場合にＭＢＳＦＮサブフレームを再設定することも可能である。また、前記セルサーチによりセルを検出してＭＢＳＦＮの情報を取得する際に、既定の閾値を下回る受信電力となるセルを対象から除外してもよい。
【００５９】
［第２の実施形態］
以下、本発明の第２の実施形態について説明する。第１の実施形態ではリレー局装置が自律的な判断でＭＢＳＦＮサブフレームを設定したが、本実施形態では、リレー局装置からの報告によって基地局装置がＭＢＳＦＮサブフレーム設定の制御を行う。本実施形態の説明で用いる通信システム（移動局装置および基地局装置およびリレー局装置）の構成は第１の実施形態と同じであるため説明を省略する。
【００６０】
本実施形態におけるＭＢＳＦＮサブフレーム設定の手順を図５のシーケンスチャート図を用いて説明する。
【００６１】
まず、本実施形態のリレー局装置２は、セルサーチを行うことにより、自局の周辺にあるセルを検出し、検出されたセルの受信品質（受信電力）の測定を行う（ステップＳ５０１）。次に前記検出されたセル（ここではセルＡおよびセルＢ）の報知情報を取得し、ＭＢＳＦＮサブフレームの設定とＭＢＳＦＮエリアの識別子情報を取得する（ステップＳ５０２）。ただし、後述するステップＳ５０６で基地局装置１からＭＢＳＦＮサブフレームに設定するサブフレームが直接通知される場合にはステップＳ５０２は不要である。次にリレー局装置２は、前記処理で取得した報知情報と受信品質から、接続するセルを選択し、接続処理を行う（ステップＳ５０３）。
【００６２】
次にリレー局装置２は、接続したセルＡを管轄する基地局装置１（ＤｅＮＢ）に前記セルサーチで検出されたセルの物理セルＩＤと受信電力測定結果を通知する（ステップＳ５０４）。
【００６３】
セルＡを管轄する基地局装置１は、リレー局装置２から通知された物理セルＩＤと受信電力測定結果に基づき、リレー局装置２が同一周波数帯域で（現在接続している）自セルのみを検出していた場合は、ＭＢＳＦＮエリアの識別子が割り当てられたサブフレームをリレー局装置２のＭＢＳＦＮサブフレームとするように設定し、同一周波数帯域で複数のセルを検出していた場合、取得した複数のセルで提供されているＭＢＭＳサービスのうち、自セルと同一のＭＢＳＦＮエリアの識別子で提供されているＭＢＭＳサービスが割り当てられたサブフレームがリレー局装置２のＭＢＳＦＮサブフレームとなるように設定する（ステップＳ５０５）。
次に基地局装置１は、ＭＢＳＦＮエリアの識別子とＭＢＳＦＮサブフレーム設定ＯＮ／ＯＦＦ情報を１対にして、リレー局装置２に通知する（ステップＳ５０６）。
リレー局装置２は、自局の保持するＭＢＳＦＮエリアの識別子と当該識別子のサービスが使用するサブフレームの情報に基づき、基地局装置１から通知されたＭＢＳＦＮエリアの識別子とＭＢＳＦＮサブフレーム設定ＯＮ／ＯＦＦ情報からＭＢＳＦＮサブフレームとするサブフレームを選択し、ＭＢＳＦＮサブフレームに設定する（ステップＳ５０７）。
【００６４】
上記処理により、複数のＭＢＳＦＮエリアが重複するエリアにおいても、リレー局装置のＭＢＳＦＮサブフレームを最小限に設定することが可能となる。すなわち、リレー局装置があるＭＢＳＦＮエリアＡの中心部近くにおり、別のＭＢＳＦＮエリアＢの周辺部近くにいる場合には、ＭＢＳＦＮエリアＡで使用するサブフレームのみリレー局装置においてＭＢＳＦＮサブフレームに設定して当該サブフレームにおいてＰＭＣＨやＰＤＳＣＨの送信を行わないようにすることにより、通信システムの通信容量の減少を最小限に抑えて干渉の回避を行うことが可能となる。
【００６５】
また、上記ステップＳ５０６では、ＭＢＳＦＮエリアの識別子とＭＢＳＦＮサブフレーム設定ＯＮ／ＯＦＦ情報をリレー局装置２に通知し、リレー局装置においてＭＢＳＦＮサブフレームを設定しているが、基地局装置１において、前記ＭＢＳＦＮサブフレームの設定までを行い、ＭＢＳＦＮサブフレームの設定をリレー局装置１に通知してもよい。この場合、前述のようにステップＳ５０２の処理は不要となる。また、基地局装置１のセルＡにおいて、ＭＢＳＦＮエリアの識別子で使用されるサブフレームが変更される場合にはリレー局装置によって変更が通知されることが望ましい。前記の変更が通知されたリレー局装置２は、自局の保持するＭＢＳＦＮエリアの識別子と当該識別子のサービスが使用するサブフレームの情報を更新し、ＭＢＳＦＮサブフレームの再設定を行うことができる。
【００６６】
本実施形態ではリレー局装置はステップＳ５０４で周辺セルの受信電力測定結果をＤｅＮＢに通知しているが、より上位レイヤのメッセージ（ＮＡＳメッセージ）を用いてリレー局装置の保守・管理を行うＯＡＭ（operations，administration，maintenance）に通知し、ＯＡＭから直接ＭＢＳＦＮサブフレームを設定されてもよいし、基地局装置のＯＡＭを経由して基地局装置からＭＢＳＦＮサブフレームを設定されてもよい。
【００６７】
以上、本発明に係る実施形態の説明を行ってきたが、本発明におけるリレー局装置や基地局装置に関しては、基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより各実施形態で示した制御を行なってもよい。なお、ここでいう「コンピュータシステム」とは、ＯＳや周辺機器等のハードウェアを含むものとする。
【００６８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００６９】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【００７０】
また、上記各実施形態では、受信電力を用いて制御を行っているが、信号対干渉雑音比や基地局装置からの送信電力とリレー局装置での受信電力との差であるパスロス値などを用いてもよい。さらにリレー局装置が基地局装置やＯＡＭに通知する物理セルＩＤは、ＳＩＢ１に含まれるセルグローバルＩＤ（Cell Global Identity;ＣＧＩ）を用いてもよい。
【００７１】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【００７２】
１…基地局装置
２…リレー局装置
３…移動局装置
１０１、２０１、２１０、３０１…受信部
１０２、２０２、２１１、３０２…復調部
１０３、２０３、２１２、３０３…復号部
１０４、２０５、２１３、３０５…制御部
１０５、２０７、２１４、３０７…符号部
１０６、２０８、２１５、３０８…変調部
１０７、２０９、２１６、３０９…送信部
１０８…ネットワーク信号送受信部
１０９、２０６、３０４…上位レイヤ
２０４…ＭＢＳＦＮ情報収集部
２１７…受信品質測定部
３０６…ランダムアクセス処理部
【図１】
2012080329.tif 000003
【図２】
2012080329.tif 000004
【図３】
2012080329.tif 000005
【図４】
2012080329.tif 000006
【図５】
2012080329.tif 000007
【図６】
2012080329.tif 000008
【図７】
2012080329.tif 000009
【図８】
2012080329.tif 000010